(57)【要約】  【課題】  フェノールとの反応による臭気の発生を防止する。  【解決手段】  塩化ビニル樹脂と、可塑剤や安定剤などの添加剤からなる組成物を成形した給水給湯用ホースにおいて、これら添加剤からフェノールと、水道水との反応によってフェノールを発生する材料を排除することにより、ホース内に水道水が通水されてもフェノールが抽出されず、臭気の原因であるクロルフェノールやジクロルフェノールの発生も防止される。  【選択図】      なし【特許請求の範囲】
【請求項１】
塩化ビニル樹脂と、可塑剤や安定剤などの添加剤からなる組成物を成形した給水給湯用ホースにおいて、
前記添加剤からフェノールと、水道水との反応によってフェノールを発生する材料を排除したことを特徴とする給水給湯用ホース。
【請求項２】
前記成形されたホースの少なくとも外皮層に顔料を添加して着色した請求項１記載の給水給湯用ホース。
【請求項３】
前記成形されたホースの少なくとも外皮層に紫外線吸収剤を添加した請求項１または２記載の給水給湯用ホース。
【発明の詳細な説明】
【技術分野】
【０００１】
本発明は、例えばシャワーホースなどの給水及び給湯に用いる塩化ビニル樹脂製の給水給湯用ホースに関する。
詳しくは、塩化ビニル樹脂と、可塑剤や安定剤などの添加剤からなる組成物を成形した給水給湯用ホースに関する。
【背景技術】
【０００２】
従来、この種の給水給湯用ホースとして、塩化ビニル樹脂に、臭気がある有機スズ系安定剤に代え、主安定剤としてCa-Zn系又はBa-Zn系の金属せっけん系安定剤（亜鉛系有機安定剤）を配合し、更にホスファイト（亜リン酸トリエステル）系の安定化助剤（キレーター）を併用することにより、臭気の発生を改善したものがある（例えば、特許文献１参照）。
【０００３】
【特許文献１】特公平７−１１９３４５号公報（第１−２頁）
【発明の開示】
【発明が解決しようとする課題】
【０００４】
しかし乍ら、このような従来の給水給湯用ホースでは、安定化助剤として配合されたホスファイト中にフェノールが残存すると共に該ホスファィトの加水分解でフエノールが生成されるため、このホース内に水道水を通水すると、塩素で水道水を消毒する際に生じる塩酸や次亜塩素酸が上記フェノールと反応してクロル化され、このクロル化で生じるクロルフェノールやジクロルフェノールなどが臭気の原因となるという問題があった。
特に、クロルフェノールやジクロルフェノールの臭気はフェノールの500倍あり、低濃度でも臭気を感じた。
【０００５】
本発明のうち請求項１記載の発明は、フェノールとの反応による臭気の発生を防止することを目的としたものである。
請求項２記載の発明は、請求項１に記載の発明の目的に加えて、加熱成形時の変色を防止することを目的としたものである。
請求項３記載の発明は、請求項１または２に記載の発明の目的に加えて、ブリードによる安定性の低下を防止することを目的としたものである。
【課題を解決するための手段】
【０００６】
前述した目的を達成するために、本発明のうち請求項１記載の発明は、塩化ビニル樹脂と、可塑剤や安定剤などの添加剤からなる組成物を成形した給水給湯用ホースにおいて、前記添加剤からフェノールと、水道水との反応によってフェノールを発生する材料を排除したことを特徴とするものである。
ここで、水道水との反応によってフェノールを発生する材料とは、例えば安定化助剤として配合されるホスファイトなどである。
請求項２記載の発明は、請求項１記載の発明の構成に、成形されたホースの少なくとも外皮層に顔料を添加して着色した構成を加えたことを特徴とする。
請求項３記載の発明は、請求項１または２記載の発明の構成に、成形されたホースの少なくとも外皮層に紫外線吸収剤を添加した構成を加えたことを特徴とする。
【発明の効果】
【０００７】
以上説明したように、本発明のうち請求項１記載の発明は、添加剤からフェノールと、水道水との反応によってフェノールを発生する材料を排除することにより、ホース内に水道水が通水されてもフェノールが抽出されず、臭気の原因であるクロルフェノールやジクロルフェノールの発生も防止される。
従って、フェノールとの反応による臭気の発生を防止することができる。
その結果、安定化助剤として配合されたホスファイト中にフェノールが残存するだけでなく該ホスファィトの加水分解でフエノールが更に生成される従来のものに比べ、臭気を気にすることなく安心して使用できる。
更に、水道法に規定された「給水装置に係わる器具等の溶出試験」におけるフェノールの抽出量を０．００５ｐｐｍ以下に抑えてクリアできる。
【０００８】
請求項２の発明は、請求項１の発明の効果に加えて、成形されたホースの少なくとも外皮層に顔料を添加して着色することにより、フェノール系の安定剤を使えないことが原因で、加熱成形時に変色しても目立たない。
従って、加熱成形時の変色を防止することができる。
【０００９】
請求項３の発明は、請求項１または２の発明の効果に加えて、成形されたホースの少なくとも外皮層に紫外線吸収剤を添加することにより、フェノール系の安定剤を使えないことが原因で耐候性が低下してブリードが発生し易くなっても、外皮層に添加した紫外線吸収剤で紫外線を吸収して耐候性が向上する。
従って、ブリードによる安定性の低下を防止することができる。
【発明を実施するための最良の形態】
【００１０】
以下、本発明の一実施例を説明する。
本発明の給水給湯用ホースは、例えばポリ塩化ビニル（ＰＶＣ）などの軟質塩化ビニル樹脂と、可塑剤や安定剤などの添加剤からなる組成物を押出成形して、可撓性に優れたシャワーホースを製造する場合を示すものである。
【００１１】
上記可塑剤や安定剤などの添加剤の中からフェノールを排除すると共に、水道水との反応によってフェノールを発生する材料を排除する。
即ち、上記添加剤として、可塑剤や安定剤などにフェノールが含有されない従来周知な非フェノール系の可塑剤や安定剤などを使用し、更に安定化助剤として一般的に配合される例えばホスファイト（亜リン酸トリエステル）のようなフェノールが残存すると共にその加水分解でフェノールが生成されるものも除外する。
【００１２】
上記ホスファイトの添加は、特にポリ塩化ビニル組成物の耐候性を向上させる機能があるが、このホスファイトの使用を除外すると、耐候性が著しく低下し、加熱成形時に例えば黄色に変色し易くなると共に、日光などの紫外線が照射されると、ブリードを生じ易くなる。
【００１３】
これらの問題を解決するために、加熱成形時に発生する変色の対策としては、成形されたホースの少なくとも外皮層に顔料を添加して、例えば黒色などのような黄色への変色が発生しても目立たない濃い色に着色する。
【００１４】
更に、紫外線によって発生するブリードの対策としては、成形されたホースの少なくとも外皮層に紫外線吸収剤を添加すると共に、用途を紫外線の影響が少ない室内に限定することで、耐候性を向上してブリードが生じないようにする。
【００１５】
また、成形されたホースの内部には、単数又は複数本のブレード（補強糸）を螺旋状に巻き付けて一体化したり、断面円形の線状補強材を螺旋状に巻き付けて一体化したり、これらブレードや線状補強材に代えて、例えばガラス繊維や難燃性繊維などの糸状補強材を編組するか、又は螺旋状に巻き付けて一体化するか、或いは単層構造のものでも良い。
【００１６】
次に、斯かる給水給湯用ホースの作用について説明する。
軟質塩化ビニル樹脂に対する添加剤からフェノールと、水道水との反応によってフェノールを発生する材料、具体的には安定化助剤として配合されるホスファイトを排除したため、該給水給湯用ホース内に水道水が通水されてもフェノールが抽出（生成）されず、このフェノールと水道水中に含まれる塩素とで塩酸や次亜塩素酸が生成されないと共に、そのクロル化で生じるクロルフェノールやジクロルフェノールなども発生しない。
【００１７】
その結果、臭気の主な原因であるクロルフェノールやジクロルフェノール（臭気がフェノールの500倍も発する）が発生しないから臭気を気にせず安心して使用できる。
しかも、実験によれば、水道法に規定された「給水装置に係わる器具等の溶出試験」におけるフェノールの抽出量を０．００５ｐｐｍ以下に抑えてクリアできることが判った。
【００１８】
また、このようなフェノールが排除された塩化ビニル組成物から斯かる給水給湯用ホースを製造するには、先ず、軟質塩化ビニル樹脂と、可塑剤や安定剤などの添加剤をミキサーに投入して配合した後に、これを成形装置(押出し機)で押出成形するが、これらミキサーや成形装置のシリンダー内やスクリュなどに、その前にホスファイトが添加されたホースを製造した際のホスファイト残渣が僅かでも残っていると、ホスファイトが混入して所期の目的を達成できないため、専用のミキサーや製造ラインを用意することが好ましい。    
【００１９】
更に本実施例の場合には、成形されたホースの少なくとも外皮層に顔料を添加して着色したため、例えばホスファィトなどのフェノール系安定剤を使えないことが原因で、加熱成形時に変色しても目立たない。
その結果、加熱成形時の変色を防止できるという利点がある。
【００２０】
更にまた、成形されたホースの少なくとも外皮層に紫外線吸収剤を添加したため、例えばホスファィトなどのフェノール系安定剤を使えないことが原因で耐候性が低下してブリードが発生し易くなっても、外皮層に添加した紫外線吸収剤で紫外線を吸収して耐候性が向上する。
その結果、ブリードによる安定性の低下を防止できるという利点がある。
【００２１】
尚、前示実施例では、軟質塩化ビニル樹脂と、可塑剤や安定剤などの添加剤からなる組成物を押出成形して、可撓性に優れたシャワーホースを製造する場合を示したが、これに限定されず、シャワーホース以外の給水給湯用ホースであっても上述した作用効果と同様な作用効果を奏することができる。